(57)【特許請求の範囲】
【請求項１】
内部に保存されている眼用薬剤を排出可能に密閉する眼用薬剤容器であって、
前記眼用薬剤が収納される容器本体と、当該容器本体に着脱自在に装着されるキャップとを備え、
前記容器本体は、先端に前記眼用薬剤の排出口が形成された筒状の首部を備え、
前記首部の外周には前記キャップとの係合構造が形成され、
前記キャップは上端を天面として下端が開口する有底筒状の外観形状を有し、前記首部と係合して前記排出口を密封するとともに、前記天面に板状のミラーが取り付けられている、
ことを特徴とする眼用薬剤容器。
【請求項２】
請求項１において、前記キャップは、前記天面に前記ミラーの平面形状を有して開口する凹部が形成され、当該凹部内に前記ミラーが取り付けられているとともに、当該ミラーの鏡面が前記凹部の縁端面よりも下方にあることを特徴とする眼用薬剤容器。
【請求項３】
請求項２において前記凹部の開口を開閉自在に塞ぐ蓋部を備えていることを特徴とする眼用薬剤容器。
【請求項４】
請求項１〜３のいずれかにおいて、前記ミラーが凹面鏡であることを特徴とする眼用薬剤容器。
【請求項５】
請求項１〜４のいずれかに記載の前記眼用薬剤容器が備えるキャップであって、上端を天面として下端が開口する有底筒状の外観形状を有し、前記天面に板状のミラーが取り付けられていることを特徴とする眼用薬剤容器のキャップ。
【発明の詳細な説明】
【技術分野】
【０００１】
本発明は点眼薬剤などの眼用薬剤を保存する眼用薬剤容器、および眼用薬剤容器のキャップに関する。
【背景技術】
【０００２】
眼用薬剤を保存する容器として点眼容器がよく知られている。周知のごとく、点眼容器は点眼薬剤を収納する容器本体と容器本体に着脱自在に装着されるキャップとから構成されている。図１に一般的な点眼容器１の構造を示した。図１（Ａ）は容器本体１０にキャップ２０を装着した状態の点眼容器１であり、図１（Ｂ）は容器本体１０からキャップ２０を取り外した状態を示している。また図２は図１（Ａ）におけるａ−ａ矢視断面に対応する縦断面図であり、容器本体１０とキャップ２０とを個別に示している。
【０００３】
ここで容器本体１０の上方にキャップ２０が装着されることして上下方向を規定すると、ここに示した点眼容器１の概略形状は上下方向を軸１００とした円筒状である。容器本体１０は、例えば周知のブロー成形技術により成形された樹脂の一体成形品であり、キャップ２０は例えば金型を用いた射出成形による樹脂の成形品である。樹脂素材としては例えばポリプロピレンなどを用いることができる。
【０００４】
容器本体１０は概して有底の多段筒状の外観形状を有し、内部空間１７に点眼剤５０を収納する円筒状の薬剤収納部１１の上方に当該薬剤収納部１１よりも縮径された円筒状の首部１２が連続している。また首部１２の上端側にはさらに縮径されたノズル部１３が形成されている。そしてノズル部１３の先端１４が薬剤滴下口１５として開口し、当該薬剤滴下口１５は首部１２の内部に形成された中空部１６を介して薬剤収納部１１の内部空間１７に連絡している。それによって薬剤滴下口１５を下方に向けた状態で薬剤収納部１１を外方から押圧すると点眼薬剤５０が当該薬剤滴下口１５より排出、滴下される。なお図示した例では首部１２の周囲にはキャップ２０を着脱自在に係合させるための構造として雄ねじ１８が形成されている。
【０００５】
キャップ２０は図２に詳しく示したように、上端面を天面２１として下端に開口２２を有する円筒状で、内部周側面２３には首部１２の周囲に形成されている雄ねじ１７と螺合する雌ねじ２４が形成されている。すなわち容器本体１０とキャップ２０とは所謂「スクリューキャップ方式」によって係合するように構成されている。またキャップ２０の内方上面２５には下方に突出する凸部２６が形成されており、キャップ２０を容器本体１０に装着した状態では当該凸部２６が容器本体１０のノズル部１３の先端５に当接しつつ薬剤滴下口１５を塞ぐ。それによって容器本体１０が密閉され、点眼剤５０が蒸発したり容器本体１０内に異物が混入したりすることを防止している。
【０００６】
ところで上記点眼容器を用いた点眼処置は眼疾患の主要な治療法であり、その点眼処置は医師による治療中よりも患者自身が日常生活の場で適時に行われるのが普通である。このように眼科領域では患者が自身で治療を行う場合が多いという点が他の医科における治療形態と大きく異なっている。確かに点眼処置自体は取り扱いが難しい器具も専門的な知識も不要である。しかしながら「治療」である以上、適切に行わなければならない。例えば以下の非特許文献１には正しい点眼の仕方や点眼に際しての留意点などについて記載されている。また以下の特許文献１には患者による点眼処置を補助するための機能を備えた点眼容器が開示されている。
【先行技術文献】
【特許文献】
【０００７】
【特許文献１】２０１１−１５２３８０号公報
【非特許文献】
【０００８】
【非特許文献１】参天製薬株式会社、”アイケア・お役立ち情報：正しい目薬のさし方”、[online]、[平成２６年１０月３１日検索]、インターネット＜ＵＲＬ：http://www.santen.co.jp/ja/healthcare/eye/eyecare/eyelotion/＞
【発明の概要】
【発明が解決しようとする課題】
【０００９】
上述したように眼疾患を治療するための点眼処置は専ら患者自身の手で行われる。そして正しい点眼処置の仕方は上記非特許文献１を見るまでもなく、広く知られている事項となっている。しかしながら患者が点眼処置の正しい仕方を知っていることと、実際に正しい仕方で点眼処置をすることとは同じではない。例えば点眼容器を視線の直上に見上げて点眼薬剤を滴下することは確かに正しい点眼方法であるが、この方法では生理的に瞬目（まばたき）反応を起こし易く、目を閉じたときに点眼薬剤が滴下されてしまう場合がある。点眼薬剤の液滴が睫に触れても反射的に瞬目反応を起こす。また高齢者の患者では老視や空間視力の低下などに起因して点眼容器を持つ手の空間位置を誤認してしまい、点眼薬剤を眼外に滴下してしまうことも多い。ノズルの先端を眼球に接触させてしまう場合もある。
【００１０】
有色性の薬剤が眼外に滴下すれば衣服を汚してしまう可能性がある。また目の周囲や睫に触れた後に点眼薬剤が眼内に入ればその点眼薬剤の液滴が汚染される可能性もある。副作用として皮膚の色素を沈着させる点眼薬剤もあり、点眼に失敗して眼瞼の皮膚を変色させる場合もある。ノズルの先端が眼球に接触すれば眼球が損傷したり、細菌性の眼病であればその細菌が容器内に侵入して眼用薬剤を汚染させたりする可能性もある。もちろん点眼薬剤の眼外への滴下（遺漏）は貴重な薬剤を無駄にすることにもなり経済的な損失も招く。
【００１１】
結局のところ、点眼処置を正しい仕方で正確に行うためには、手鏡を使って眼と点眼容器の位置を確認しながら点眼薬剤を滴下することである。しかし点眼処置は一日に数回行うこともあり、手鏡とともに点眼容器を携行することはできても場所や状況によっては全ての点眼機会において手鏡を見ながら点眼できるとは限らない。もちろん携行する荷物として手鏡が増えることにもなり、とくに外出先で化粧をする習慣のない人にとっては小さな手鏡であっても携行すること自体が煩わしい。
【００１２】
さらに手鏡を用いるということは、点眼処置に際し、一方の手で点眼容器の容器本体を持ち、他方の手で手鏡を持つということである。したがって点眼処置に際して容器本体から外したキャップをどこかに「置く」必要がある。しかしその置いた場所が必ずしも衛生的であるとは限らず、キャップの縁や内面に異物が付着する場合もある。そしてそのキャップを容器本体に再装着すれば容器本体内に異物が混入する可能性もある。点眼処置をする際にキャップを置く場所があるとも限らない。置き場所がなければ鞄やポケットにいれることになり、やはり衛生上問題が多い。
【００１３】
そこで上記特許文献１に記載の発明では点眼容器における容器本体の首部周囲に環状の鏡を配置している。それによってキャップを手に持ったまま、かつ鏡を見ながら点眼処置をすることができる。しかしながら点眼薬剤を始め多くの医薬品には使用期限があることから点眼容器は使い捨てを前提としたものである。そのため環状の特殊な形状の鏡を備えた点眼容器では自ずと製造コストが増大する。
【００１４】
また薬剤を滴下する容器本体に鏡が配置されているため、キャップ内で漏れた薬剤が鏡に付着すれば鏡に映った像が見にくくなる。容器本体に装着しているときのキャップの内側は密閉状態にあるため、湿度の高い季節ではキャップを着脱する際にキャップ内に入り込んだ水蒸気が鏡面を曇らせる。キャップ外して点眼処置をしようとしたときに鏡が曇っていれば速やかに点眼処置をすることができない。曇った鏡を指で拭こうとして誤って薬剤滴下口の周辺を触ってしまえば衛生上問題がある。
【００１５】
さらに首部の周囲に鏡があるので、点眼時は筒状の容器本体の軸を鉛直方向に向け、薬剤滴下口を眼の直上で真正面から見るような姿勢を強いられる。このような姿勢は、座って背もたれなどに寄りかかっていない限り頸部に大きな負担が掛かり苦痛である。また点眼処置に際しては、点眼薬剤の滴下場所である眼を鏡に映しながら、その眼で薬剤滴下口を直接見ることになるため、滴下される薬剤を必ず直視することなる。したがって上記の瞬目の問題が依然として発生する。
【００１６】
なお点眼に限らず眼科領域の治療では患者自身が処置を行うことが多い。例えば麦粒腫の治療などではクリーム状の薬剤（軟膏）を患部に塗布する。この場合は患部が極めて狭小な領域であり、言わば「一点」に軟膏を塗り込むことになる。そのため点眼処置にもまして鏡が必要となる。洗面所など鏡が設置されている場所以外では、上述したようなキャップの置き場所に関わる問題も発生する。いずれにしても、眼用薬剤容器には眼用薬剤の投与処置の多くが患者自身で行われるという眼科治療の特殊性によって様々な問題が存在する。もちろん医師が処方する眼用薬剤に限らず、薬局で購入可能なＯＴＣ医薬品に属する眼病治療用の各種眼用薬剤やコンタクトレンズ装用者用の涙液型点眼薬剤などの容器についても同様の問題が存在する。
【００１７】
本発明は上述した眼用薬剤の投与処置に関わる種々の問題に鑑み見なされたもので、その目的は、眼用薬剤の使用者が確実に自身の眼部に正確かつ迅速に自己投与できるとともに清潔な衛生状態を維持することができる眼用薬剤容器を大きなコストアップを伴わずに提供することにある。また当該眼用薬剤容器が備えるキャップを提供することも目的としている。
【課題を解決するための手段】
【００１８】
上記目的を達成するための本発明は、内部に保存されている眼用薬剤を排出可能に密閉する眼用薬剤容器であって、
前記眼用薬剤が収納される容器本体と、当該容器本体に着脱自在に装着されるキャップとを備え、
前記容器本体は、先端に前記眼用薬剤の排出口が形成された筒状の首部を備え、
前記首部の外周には前記キャップとの係合構造が形成され、
前記キャップは上端を天面として下端が開口する有底筒状の外観形状を有し、前記首部と係合して前記排出口を密封するとともに、前記天面に板状のミラーが取り付けられている、
ことを特徴とする眼用薬剤容器としている。
【００１９】
また前記キャップは、前記天面に前記ミラーの平面形状を有して開口する凹部が形成され、当該凹部内に前記ミラーが取り付けられているとともに、当該ミラーの鏡面が前記凹部の縁端面よりも下方にある眼用薬剤容器とすることもできる。さらに前記凹部の開口を開閉自在に塞ぐ蓋部を備えている眼用薬剤容器としてもよい。そして前記ミラーを凹面鏡とすればより好ましい。なお本発明の範囲には、上記いずれかに記載の前記眼用薬剤容器が備えるキャップも含まれており、当該キャップは上端を天面として下端が開口する有底筒状の外観形状を有し、前記天面に板状のミラーが取り付けられていることを特徴としている。
【発明の効果】
【００２０】
本発明の眼用薬剤容器によれば、眼用薬剤の自己投与に際し、確実かつ迅速に眼部に眼用薬剤を投与することができる。また異物の混入を防止し、より安価に提供することもできる。なおその他の効果については以下の記載で明らかにする。
【図面の簡単な説明】
【００２１】
【図１】一般的な眼用薬剤容器である従来の点眼容器の外観図である。
【図２】上記従来の点眼容器の縦断面図である。
【図３】本発明の第１の実施例に係る眼用薬剤容器の外観図である。
【図４】上記第１の実施例に係る眼用薬剤容器の縦断面図である。
【図５】上記第１の実施例に係る眼用薬剤容器を用いた点眼処置の状態を示す図である。
【図６】本発明の第２の実施例に係る眼用薬剤容器のキャップの外観と縦断面を示す図である。
【図７】本発明の第３の実施例に係る眼用薬剤容器のキャップを示す外観図である。
【図８】本発明のその他の実施例として凹面鏡が取り付けられた眼用薬剤容器のキャップを示す外観図である。
【図９】本発明のその他の実施例としてチューブ状の容器本体を有する眼用薬剤容器を示す外観図である。
【発明を実施するための形態】
【００２２】
本発明の実施例について、以下に添付図面を参照しつつ説明する。なお、以下の説明に用いた図面において、同一または類似の部分に同一の符号を付して重複する説明を省略することがある。
【００２３】
＝＝＝第１の実施例＝＝＝
本発明の第１の実施例に係る眼用薬剤容器として点眼容器を挙げる。図３は当該第１の実施例に係る眼用薬剤容器１ａの構造示す図である。図３（Ａ）はキャップ２０ａが装着された状態の眼用薬剤容器（以下、点眼容器１ａとも言う）の外観図であり、図３（Ｂ）は容器本体１０とキャップ２０ａとを個別に示した外観図である。また図４に容器本体１０とキャップ２０ａとを分離した状態の点眼容器１ａの縦断面を示した。なお図３、図４では図１、図２と同様に上下方向を規定している。
【００２４】
第１の実施例に係る点眼容器１ａは、先端１４側にノズル部１３を有する首部１２に薬剤収納部１１が一体的に連続形成されてなる樹脂製の容器本体１０と、内部周側面２３に雌ねじ２４が形成されて容器本体１０の首部１２の外周に形成された雄ねじ１８とスクリューキャップ方式で装着される樹脂製のキャップ２０ａとから構成されている。なおここまでの構成は図１に示した従来の点眼容器１と実質的に同じであり、容器本体１０の全構造とキャップ２０ａの内部構造についてはサイズなどを除けば同一である。しかし第１の実施例に係る点眼容器１ａではキャップ２０ａの天面２１に円盤状のミラー３０が取り付けてある点が従来の点眼容器１と大きく異なっている。
【００２５】
ここで第１の実施例に係る点眼容器１ａの具体的な構造やサイズについて説明すると、容器本体１０の薬剤収納部１１は直径φ１＝２０ｍｍ、高さｈ１＝３０ｍｍの円筒形で、５ｍｌの点眼薬剤５０を収納可能としている。首部１２は高さｈ２＝１９ｍｍで、ノズル部１３を除く基部側の円筒領域で直径φ２＝１０ｍｍである。首部１２の先端１４側に形成されているノズル部１３は直径φ３＝５ｍｍ、高さｈ３＝７ｍｍである。すなわち首部１２における基部側の円筒状領域の高さは１２ｍｍである。キャップ２０ａは直径φ４＝２０ｍｍ、高さｈ４＝２０ｍｍの円筒形である。なおここに示したキャップ２０ａは、外周側面２７に上下方向に延長するリブ２８が多数形成されており、キャップ２０ａの着脱時に手指が滑らないようになっている。キャップ２０ａの天面２１に取り付けられたミラー３０は樹脂製あるいはステンレス製であり割れることがない。もちろんガラス製のミラーよりも軽い。そして直径φ５＝１８ｍｍ、厚さｔ＝０．５ｍｍの円板状で上面を鏡面３１として下面３２がキャップ２０ａの天面２１に接着されている。
【００２６】
図５は当該点眼容器１ａを用いた点眼処置の状態を示している。以下この図５と先の図３、図４を参照しつつ第１の実施例に係る点眼容器１ａの利点などについて説明する。図５に示したように眼病患者など点眼薬剤を自己投与する人（以下、使用者２００とも言う）は上を向きつつ一方の手２０１で容器本体１０を持ち、他方の手２０２でキャップ２０ａを持つ。そして容器本体１０の薬剤滴下口１５を下方に向けつつ、その状態をキャップ２０ａのミラー３０で目視する。それによって使用者２００は薬剤滴下口１５を直視することなく、その薬剤滴下口１５と滴下する点眼薬剤５０およびその薬剤５０を滴下させる側の眼２０３との相対的な位置関係を正確に把握することができる。すなわち瞬目反応が生じず点眼薬剤５０を確実に眼内に滴下させることができる。
【００２７】
またキャップ２０ａを持った状態で点眼処置を行うので、キャップ２０ａの置き場所にも困らない。しかもミラー３０が筒状のキャップ２０ａの天面２１に取り付けられているので、使用者は必ずキャップ２０ａの外周側面２７を持つことになり、キャップ２０ａの開口２２の縁２９を手指で触ることがなく手指を介して異物が容器本体１０内に混入することも防止できる。
【００２８】
なおここに示した点眼容器１ａは容器本体１０とキャップ２０ａの双方が円筒状であるが、一方あるいは両方が角筒状であってもよい。容器本体１０については筒状でなくてもよい。容器本体１０とキャップ２０ａとの係合構造は、嵌め込み方式などスクリューキャップ方式でなくてもよい。いずれにしても筒状のキャップと容器本体の首部が所定の係合構造によってキャップが容器本体に対して着脱自在に装着されてなる眼用薬剤容器であって、キャップの天面に板状のミラーが取り付けられていればよい。
【００２９】
＝＝＝第２の実施例＝＝＝
図３と図４に示したように、第１の実施例に係る点眼容器１ａでは筒状のキャップ２０ａの天面２１にミラー３０が取り付けられていた。しかしながらミラー３０がキャップ２０ａの天面２１から突出しており、ミラー３０の鏡面３１に手指が容易に触れてしまう。そのため手指の皮脂などによって指紋が付着し、ミラー３０に映った像が見にくくなる。そのため適時に鏡面３１を拭く必要がある。またミラー３０がキャップ２０ａの天面２１から突出しているので、鏡面３１を拭いたり、鞄などに入れてある容器を取り出したりする際に、ミラーの３０縁３３が手指や鞄内の他の携行品に引っかかり、ミラー３０がキャップ２０ａから脱落する可能性もある。そこで本発明の第２の実施例としてミラー３０に指紋が付着しにくく、ミラー３０が脱落することを確実に防止できる眼用薬剤容器を挙げる。
【００３０】
第２の実施例に係る眼用薬剤容器は第１の実施例と同様の容器本体とキャップとから構成されており、容器本体については図１や図３に示した従来のものと実質的に同じである。図６に第２の実施例に係る眼用薬剤容器のキャップ２０ｂの構造を示した。図６（Ａ）はキャップ２０ｂの外観を示す図であり、図６（Ｂ）はその縦断面図である。そしてこの図６でも先の図１〜４と同様に相対的な上下方向を規定している。図６に示したように円筒状のキャップ２０ｂは天面２１に同心円状の凹部４０が形成されており、この凹部４０内に円盤状のミラー３０が嵌め込まれているとともに凹部４０の底面４２に接着されている。
【００３１】
この第２の実施例におけるキャップ２０ｂの外寸（直径φ４，高さｈ４）は第１の実施例のキャップ２０ａと同様である。凹部４０は内径φ６＝１８ｍｍで周囲にキャップ２０ｂの天面２１の外周領域でもある幅ｗ＝１ｍｍの縁端面４１が形成されている。また深さｄ＝１ｍｍである。ミラー３０は第１の実施例と同じものであり直径φ５＝１８ｍｍで凹部４０の内径φ６に一致する。そしてミラー３０は厚さｔ＝０．５ｍｍであるので、このミラー３０を深さｄ＝１ｍｍの凹部４０の内部に嵌め込むとミラー３０の鏡面３１が凹部４０の縁端面４１の下方に位置することになる。それによって手指がミラー３０の鏡面３１に触れにくくなり、またミラー３０の縁３３にも手指や物が引っかからず、ミラー３０の脱落を確実に防止することができる。
【００３２】
＝＝＝第３の実施例＝＝＝
第１および第２の実施例に係る点眼容器（１ａ、１ｂ）はミラー３０の鏡面３１が外部に露出していた。そのため保管時に埃などが鏡面３１に付着する可能性がある。そこで第３の実施例として天面２１にミラー３０が嵌め込まれる凹部４０が形成されているとともに、この凹部４０の開口を開閉自在に塞ぐ蓋を備えたキャップを備えた点眼容器を第３の実施例として挙げる。
【００３３】
図７に第３の実施例に係る点眼容器のキャップ（２０ｃ、２０ｄ）を示した。図７（Ａ）に示したキャップ２０ｃは蝶番と同様の原理で開閉する蓋６０を備えている。蓋６０はキャップ２０ｃの天面２１と同じ平面形状を有する円盤状で、この蓋６０の周縁６１の一部と天面２１の周縁の一部とが蝶番として機能する連結部６２を介して接続されている。またキャップ２０ｃはこの連結部６２と蓋６０を含めた全構成が樹脂の一体成形品で形成されている。凹部４０の縁端面４１の内周側は上方に環状に突出しており、蓋６０において天面２１に対向する内面６３には凹部６４が形成されている。そして蓋６０を閉めるとキャップ２０ｃの天面２１から環状に突出した部位４３が蓋６０の凹部６４の内側に嵌り込んで蓋６０が不用意に開かないようになっている。また蓋の周縁６１において連結部６２の反対側には、蓋６０を開ける際に指を引っ掛けるためのタブ６５が突出形成されている。
【００３４】
図７（Ｂ）は（Ａ）に示したキャップ２０ｃとは異なる開閉構造の蓋７０を有したキャップ２０ｄを示した。なおここでは参考までに円筒状以外の形状となる正八角柱状のキャップ２０ｄを示した。当該キャップ２０ｄは天面２１にミラー３０が嵌め込まれる凹部４０が形成されており、この凹部４０を塞ぐ蓋７０は水平面内で回転するように構成されている。具体的には、天面２１の凹部４０の縁端面４１と、当該天面２１と同じ平面形状を有する板状の蓋７０の外周側とが鉛直方向を向く共通の回転軸７１に軸支されており、蓋７０がこの回転軸７１を支点にして回転することで蓋７０が開閉自在に凹部４０の開口を塞ぐようになっている。またこの例では、閉蓋状態を維持するための構造として蓋７０の下面外周側に下方に突出する微少な突起７２が形成され、天面２１の外周側にはこの突起７２と係合する孔７３が形成されている。そして例えば突起７２の形状を半球状とすれば、不用意な開蓋を防止するとともに水平方向に蓋７０をスライドさせる動作によって容易に蓋７０を開閉することができる。なお当然のことながら、天面２１の凹部４０を塞ぐ蓋の開閉構造や、閉蓋状態を維持するため構造はこの図７に示したものに限るものではない。
【００３５】
＝＝＝その他の実施例＝＝＝
キャップの天面に取り付けられるミラーを凹面鏡にすればミラーに映る像を拡大させることができる。図８に凹面鏡３０を備えた眼用薬剤容器のキャップ２０ｅの縦断面図を示した。この図に示したように、円筒状あるいは正角柱状のキャップ２０ｅの天面２１に形成された凹部４０が形成され、当該凹面鏡３０は縁３４が凹部４０の縁端面４１よりも上方に突出しないように当該凹部４０内に取り付けられている。また凹面鏡３０の光軸はキャップ２０ｅの筒軸１００と一致している。そして図５に示した状態で眼用薬剤を自己投与する際に、眼部と凹面鏡３０との距離が当該凹面鏡３０の焦点距離よりも短ければ必ず拡大正立虚像を得ることができ、眼用薬剤をより容易に自己投与することができる。
【００３６】
上記第１〜第３の実施例に係る眼用薬剤容器は点眼容器であったが、図９に示した眼用薬剤容器１０１のように、容器本体１１０が軟膏などの眼用薬剤が収納されるチューブ状容器であってもよい。そして天面２１にミラー３０が取り付けられた筒状のキャップ１２０にそのチューブ状の容器本体１１０に対して着脱自在に装着させる係合構造を備えさせればよい。  
なお本発明が対象とする眼用薬剤容器としては、薬局で購入可能なＯＴＣ医薬品に属する眼病治療用の各種眼用薬剤やコンタクトレンズ装用者用の涙液型点眼薬剤の容器も含まれる。また容器本体を含まないキャップそのものも本発明に含まれる。例えば眼科医で処方される点眼薬剤の点眼容器などはサイズやキャップと容器本体との係合構造が規格によってある程度決まっているので、一般に広く採用されている規格に合わせたサイズや係合構造を備えた汎用的なミラー付きのキャップを提供すれば従前の眼用薬剤容器のキャップを交換するだけで以後の自己投与を正しく行うことができる。
【符号の説明】
【００３７】
１，１ａ〜１ｄ、１０１  眼用薬剤容器、１０，１１０  容器本体、
１１  薬剤収納部、１２  首部、１３ノズル、１５  薬剤滴下口、
１８  容器本体におけるキャップとの係合構造（雄ねじ）、
２０，２０ａ〜２０ｄ、１２０  キャップ、２１  キャップの天面、
２４  キャップにおける容器本体との係合構造（雌ねじ）、３０  ミラー、
３１  鏡面、４０  キャップ天面の凹部、５０  眼用薬剤（点眼薬剤）、
６０、７０  蓋
【要約】
【課題】眼用薬剤の使用者が確実に自身の眼部に正確かつ迅速に自己投与できるとともに清潔な衛生状態を維持することができる眼用薬剤容器を大きなコストアップを伴わずに提供する。
【解決手段】内部に保存されている眼用薬剤５０を排出可能に密閉する眼用薬剤容器１ａであって、眼用薬剤が収納される容器本体１０と、当該容器本体に着脱自在に装着されるキャップ２０ａとを備え、容器本体１０は、先端１４に前記眼用薬剤の排出口１５が形成された筒状の首部１２を備え、首部の外周には前記キャップとの係合構造１８が形成され、キャップは上端を天面２１として下端が開口する有底筒状の外観形状を有し、首部と係合して排出口を密封するとともに、天面に板状のミラー３０が取り付けられている。
【選択図】  図３【図１】
0005683740.tif 000002
【図２】
0005683740.tif 000003
【図３】
0005683740.tif 000004
【図４】
0005683740.tif 000005
【図５】
0005683740.tif 000006
【図６】
0005683740.tif 000007
【図７】
0005683740.tif 000008
【図８】
0005683740.tif 000009
【図９】
0005683740.tif 000010